(57)【要約】      （修正有） 【課題】遊技場で行われる設定変更を目的とする不正行為に応じて警告をしたり表示をするのではなく、不正行為自体をあきらめさせる。すなわち、スロットマシンに於ける設定の変更及びパチンコに於ける改造基板の装着を電源の切断で検出する。【解決手段】遊技機の交流給電線に取り付けられる電流センサと、その電流センサで電源切断を感知した場合にその遊技機の再通電を阻止する電源遮断維持手段を有したもので、より好ましくは、電源遮断は本電源装置自体の電源を再投入することでリセットされるものであり、更に好ましくは電源遮断維持手段はＣＰＵと給電路切断リレーからなる。【選択図】図１
0003139947.tif 000002
【実用新案登録請求の範囲】
【請求項１】
遊技機の交流給電線に取り付けられる電流センサと、その電流センサで電源切断を感知した場合にその遊技機の再通電を阻止する電源遮断維持手段を有したことを特徴とする遊技機の電源装置。
【請求項２】
前記電源遮断は電源装置自体の電源を再投入することでリセットされることを特徴とする前記請求項１記載の遊技機の電源装置。
【請求項３】
前記電源遮断維持手段はＣＰＵと給電路切断リレーからなることを特徴とする前記請求項１記載の遊技機の電源装置。
【考案の詳細な説明】
【技術分野】
【０００１】
本考案は、スロットマシンなどの遊技機の電源装置に関する。
【背景技術】
【０００２】
従来よりスロットマシンのような遊技機においては不正行為が行われることが多く、そのため、特開２００５−５８６７７号公報では識別情報を送信して認証を行い、不正行為の可能性があると従業員に報知し遊技機の電源を遮断するようにしている。また特開２００６−１４１５０４号公報では、瞬断検知と設定キー検知を行い不正検知器をして警告・表示を行う。
【特許文献１】特開２００５−５８６７７号公報
【特許文献２】特開２００６−１４１５０４号公報
【考案の開示】
【考案が解決しようとする課題】
【０００３】
本考案は、遊技場で行われる設定変更を目的とする不正行為に応じて警告をしたり表示をするのではなく、不正行為自体をあきらめさせようとするものである。
すなわち、スロットマシンに於ける不正を行う手段として、最も見付かり難く、確実に効果を上げる方法は、設定の変更であり、パチンコに於いては改造基板の装着である。しかし、その為には電源を一度切らなければならない。そこで正常営業中は有り得ない電源の切断を感知し、以後その遊技機の通電を出来なくすることで不正を未然に防ぐ事が出来る。
【課題を解決するための手段】
【０００４】
本考案は、遊技機の交流給電線に取り付けられる電流センサと、その電流センサで電源切断を感知した場合にその遊技機の再通電を阻止する電源遮断維持手段を有したことを特徴とするもので、より好ましくは、電源遮断は本電源装置自体の電源を再投入することでリセットされるものであり、更に好ましくは電源遮断維持手段はＣＰＵと給電路切断リレーからなる。
【考案の効果】
【０００５】
従来不正を報知する機能は多々存在する。しかし、忙しい営業中では、気付かなかったり職員が制止した結果、逆に事態が悪化し、店舗の損害が拡大する事も有り、職員に制止を求めるより安全で確実な方法といえる。
本機は外部接続装置であり、頻繁に発生する遊技台の入れ替えに於いて追加の経費、時間とも必要としない。
能動的に電源を切断するものではなく、切断された状態を持続させる事を目的とする。
【考案を実施するための最良の形態】
【０００６】
以下本考案の具体例を説明する。
【実施例】
【０００７】
図１は、本考案をロジックＩＣを用いた実施例のブロック図である。
図において遊技機は、１の電流センサと、４の電路切断リレーのＮＣ接点を経由して電力を供給され、１の電流センサで、消費電流を波形レベルで感知する。一般には非接触に電流が感知できる交流電流センサなどが利用できる。
２は、１の電流センサにより検出した遊技機の消費電流波形を、ロジックＩＣで認知可能となる大きさに増幅する増幅器で、交流電流センサの検出信号が十分大きい場合は省略できる。
３の波形監視回路は、２の増幅器の出力を監視する。
例えば、検出信号の有無により遊技機が、動作状態に在るかどうか監視する。
【０００８】
遊技機が動作状態であれば、消費電流信号は常に連続し欠落する事はない。
瞬間停電を除く意味で凡そ０．３秒以上連続してこの欠落が発生した場合、異常状態と認められる。
欠落時間の長さはこの例に限るものではなく、遊技機のシステムや設置環境などに応じて適宜変更できるようにしておくのが好ましい。
【０００９】
４は異常と認めた場合、５の給電路切断リレー駆動回路に信号を送り、６の給電路切断リレーを駆動し、遊技機の再通電を阻止する電源遮断維持手段を構成するものである。
なおこの電源装置は別途電源供給路から電力を受けて作動する。
７は本装置を動作させるに必要とする電源回路である。そして好ましくは、一度電源遮断維持手段が作動したあとは、電源遮断は電源装置自体の電源を再投入することでリセットされる。
【００１０】
すなわち、上述した給電路切断リレーのリセット機能を別途持ってもよいが、犯罪を未然に防ぐことが出来れば本装置の目的は達成するので、別途制御装置を持って給電路切断リレーのリセットを行わず、本装置自体の電源を切断することがリセット機能を持つのが簡便で確実で好ましい。
【００１１】
図２は、本考案にＣＰＵを用いた実施例のブロック図である。
図において遊技機は、１１の電流センサと、１５の給電路切断リレーのＮＣ接点を経由して電力を供給され、１１の電流センサで、消費電流を波形レベルで感知する。一般には非接触に電流が感知できる交流電流センサなどが利用できる。
１２は、１１の電流センサにより検出した遊技機の消費電流波形を、１３のＣＰＵに於いて、認知可能となる大きさに増幅する増幅器で、交流電流センサの検出信号が十分大きい場合は省略できる。
１３のＣＰＵは、１２の増幅器の出力を監視し、制御する。
例えば、検出信号の有無により遊技機が、動作状態に在るかどうか監視する。
【００１２】
遊技機が動作状態であれば、消費電流波形は常に連続し欠落する事はないが、瞬間停電を除く意味でおおよそ０．３秒以上連続してこの欠落が発生した場合、異常状態と認められる。
欠落時間の長さはこの例に限るものではなく、遊技機のシステムや設置環境などに応じて適宜変更できるようにしておくのが好ましい。
【００１３】
異常と認めた場合、１４給電路切断リレー駆動回路を経由、１５給電路切断リレーを駆動し、遊技機の再通電を阻止する電源遮断維持手段を構成するものである。
なおこの電源装置は別途電源供給路から電力を受けて作動する。
１６は本装置を動作させるに必要とする電源回路である。そして好ましくは、一度電源遮断維持手段が作動したあとは、電源遮断は電源装置自体の電源を再投入することでリセットされる。
【００１４】
すなわち、上述した給電路切断リレーのリセット機能を別途持ってもよいが、犯罪を未然に防ぐことが出来れば本装置の目的は達成するので、別途制御装置を持って給電路切断リレーのリセットを行わず、本装置自体の電源を切断することがリセット機能を持つのが簡便で確実で好ましい。
【産業上の利用可能性】
【００１５】
以上のように本考案では、不正行為者に不正行為実行の意欲をそぐものであり、無駄な係争や店舗の混乱を防ぐことが出来る。
【図面の簡単な説明】
【００１６】
【図１】本考案の実施例を示す図である。
【図２】本考案の他の実施例を示すブロック図である。
【符号の説明】
【００１７】
１  交流電流センサ
２  増幅回路
３  波形監視回路
４  異常感知及びリレー駆動信号発生回路
５  給電路切断リレー駆動回路
６  給電路切断リレー
７  本回路動作用ＤＣ電源回路
１１  交流電流センサ
１２  増幅回路
１３  ＣＰＵ
１４  給電路切断リレー駆動回路
１５  給電路切断リレー
１６  本回路動作用ＤＣ電源回路
【図１】
0003139947.tif 000003
【図２】
0003139947.tif 000004